(57)【特許請求の範囲】
【請求項１】
少なくとも、パチンコ島台に設置されたパチンコ遊技機から排出されたパチンコ玉を受け入れる玉受け部と、該玉受け部で受け入れたパチンコ玉を前記パチンコ島台内の所定の回収通路に送り出す玉送出部と、からなるパチンコ玉回収装置において、
前記玉受け部で受け入れられたパチンコ玉は、前記玉受け部内の底面を略円弧を描きながら転動して前記玉送出部に移送されることを特徴とするパチンコ玉回収装置。
【請求項２】
前記玉受け部は、該玉受け部の外周を形成する円筒形状の外周板と、該外周板の下部に形成され且つ前記底面を転動するパチンコ玉を前記玉送出部へ排出するための流出口と、を少なくとも備え、
前記底面は、上流側から下流側に設けられた前記流出口に向けて螺旋形状に下り傾斜していることを特徴とする請求項１記載のパチンコ玉回収装置。
【請求項３】
前記パチンコ玉回収装置は、該パチンコ玉回収装置を前記パチンコ島台に取り付けるための取付手段と、該パチンコ玉回収装置を前記パチンコ島台に取り付けた状態でも前記玉受け部を所要の位置に移動可能な移動手段と、を備えたことを特徴とする請求項１又は請求項２記載のパチンコ玉回収装置。
【請求項４】
前記玉受け部と前記玉送出部とが一体的に形成されていることを特徴とする請求項１乃至請求項３のいずれかに記載のパチンコ玉回収装置。
【請求項５】
前記玉送出部は、下流側に向けてパチンコ玉を一列に整列させる玉送出樋として構成され、該玉送出樋内の上流側の両側面は、互いに非対称な形状で形成されていることを特徴とする請求項１乃至請求項４のいずれかに記載のパチンコ玉回収装置。
【請求項６】
前記玉受け部に、前記パチンコ遊技機から排出されたパチンコ玉を受け入れる開口面の少なくとも一部を塞ぐための蓋を設けたことを特徴とする請求項１乃至請求項５のいずれかに記載のパチンコ玉回収装置。
【請求項７】
前記玉受け部内の底面に、パチンコ玉の跳ね返りを防止するための低反発性のシートを貼付したことを特徴とする請求項１乃至請求項６のいずれかに記載のパチンコ玉回収装置。
【発明の詳細な説明】
【０００１】
【発明の属する技術分野】
本発明は、少なくとも、パチンコ島台に設置されたパチンコ遊技機から排出されたパチンコ玉を受け入れる玉受け部と、該玉受け部で受け入れたパチンコ玉を前記パチンコ島台内の所定の回収通路に送り出す玉送出部と、からなるパチンコ玉回収装置に関するものである。
【０００２】
【従来の技術】
周知のように、パチンコ遊技機は、パチンコ島台内に設置される補給樋から、分離器によりパチンコ玉を分離することで、常時、パチンコ玉の供給を受けている。また、パチンコ遊技機で発射されたパチンコ玉は、周知の遊技領域を通過後、パチンコ遊技機の裏面下部に設けられたパチンコ玉排出口から、図６（Ａ）に示すようなパチンコ玉回収装置５５の玉受け部５６に向けて排出される。該玉受け部５６に排出されたパチンコ玉は、玉受け部５６から玉送出部である玉送出樋５７に誘導され、該玉送出樋５７内で一列に整列されながら下流側に流下した後、パチンコ島台内の所定の回収通路（アウト回収樋ともいう）に排出される。
【０００３】
ところで、周知のように、従来からパチンコ遊技場には、営業状態を把握又は管理するためのホールコンピュータが設置されている。該ホールコンピュータで集計されるデータの中で一日の営業利益状態を表す指標として、差玉というものがあり、該差玉は、所定期間における各パチンコ遊技機若しくは全パチンコ遊技機のアウト玉数とセーフ玉数との差により算出される。ここで、アウト玉とは、パチンコ遊技機で発射されたパチンコ玉の数であり、パチンコ玉回収装置５５に設けられた玉計数器５８からの検出信号に基づいて累積集計される。また、セーフ玉とは、パチンコ遊技機から遊技者に払い出されるパチンコ玉の数であり、分離器に設けられた玉計数器（キャリーともいう）からの検出信号に基づいて累積集計される。
【０００４】
上述したように、差玉を算出するためには、セーフ玉数とアウト玉数の２つのデータ（検出信号）が必要になるが、もちろん、正確な差玉を算出するためには、正確なセーフ玉数と正確なアウト玉数が必要であり、その中でも、特に、パチンコ玉回収装置内のパチンコ玉の玉詰まり等の問題により、正確なアウト玉数を算出するのは難しく、従来より様々な形態のパチンコ玉回収装置が発明されている。
【０００５】
例えば、図６に示すような従来技術のパチンコ玉回収装置５５では、パチンコ玉回収装置５５内、特に、玉送出樋５７の入口付近（上流側）でパチンコ玉が詰まる傾向があった。これは、パチンコ遊技機裏面のパチンコ玉排出口から排出されたパチンコ玉が、該排出の際に生じる落下の勢いのまま、一度に玉送出樋５７の入口付近に集中するためである。そこで、この様な玉詰まりを回避するために、パチンコ玉排出口から排出されるパチンコ玉が玉受け部５６内の上流側の底面に排出されるように、パチンコ玉回収装置５５の取付位置を調整し、パチンコ玉をできるだけ長く一定の勾配θ（５〜７度が理想：図６参照）で玉受け部５６内の底面上を転動させることで、パチンコ玉排出口からパチンコ玉が排出される際に生じる落下の勢いを低減するという対処が行われていた。
【０００６】
【発明が解決しようとする課題】
ところで、従来技術のパチンコ玉回収装置５５は、玉受け部５６から玉送出樋５７へパチンコ玉を誘導する際、一定の勾配θで直線的（図６（Ｂ）中のＡ寸法）に玉受け部５６内の底面を転動させているため、玉受け部５６自体が大きくなり（図６（Ｂ）中のＡｃｏｓθで表されるＴ方向のＢ寸法）、パチンコ遊技機裏面側におけるパチンコ島台内の限られたスペースにおいて、最適とは言えなかった。
【０００７】
また、パチンコ島台は、幅が狭い程、パチンコ遊技場内に数多くのパチンコ島台を設置することが可能になり、また、数多くのパチンコ島台を設置しなくても、パチンコ島台の幅を狭くすることで、パチンコ島台間の通路幅を広くすることが可能になる。即ち、パチンコ島台の幅を狭くすることは、有効であり、これに伴い、パチンコ玉回収装置のコンパクト化が望まれていた。
【０００８】
更に、近年、パチンコ遊技機の基板のサブ化に伴い、パチンコ遊技機裏面側に数多くの基板が配置されるようになり、パチンコ遊技機裏面側のスペースも従来に比べ狭くなった。その結果、従来までのパチンコ玉回収装置では、該基板が当る等の問題が生じ始めており、このことからもパチンコ玉回収装置のコンパクト化が望まれていた。
【０００９】
そこで、本発明は、上記の事情に鑑み為されたもので、その目的は、たとえ、パチンコ玉回収装置の玉受け部を小さく設計したとしても、玉受け部から玉送出部内へスムーズにパチンコ玉を誘導することができるパチンコ玉回収装置を提供することにある。
【００１０】
【課題を解決するための手段】
上記目的を達成するために、請求項１に係る発明においては、少なくとも、パチンコ島台に設置されたパチンコ遊技機から排出されたパチンコ玉を受け入れる玉受け部と、該玉受け部で受け入れたパチンコ玉を前記パチンコ島台内の所定の回収通路に送り出す玉送出部と、からなるパチンコ玉回収装置において、前記玉受け部で受け入れられたパチンコ玉は、前記玉受け部内の底面を略円弧を描きながら転動して前記玉送出部に移送されることを特徴とする。このように構成することにより、パチンコ玉回収装置の玉受け部で受け入れたパチンコ玉は、玉受け部内の底面を略円弧を描きながら転動し、スムーズに玉送出部に至る。そして、玉送出部からパチンコ島台内の所定の回収通路に送り出される。
【００１１】
つまり、玉受け部内で受け入れたパチンコ玉を、玉受け部内の底面上で略円弧を描きながら転動させることができるように玉受け部内を設計することで、玉送出部の入口付近にパチンコ玉が集中することによる玉詰まりを回避するための最低必要な転動距離を得ることができると同時に、玉受け部自体の大きさも従来に比べ、小さくコンパクトにすることが可能になる。
【００１２】
即ち、たとえ、パチンコ玉回収装置の玉受け部自体を小さく設計したとしても、玉受け部から玉送出部内へスムーズにパチンコ玉を誘導することができるようになる。
【００１３】
また、請求項２に係る発明においては、前記玉受け部は、該玉受け部の外周を形成する円筒形状の外周板と、該外周板の下部に形成され且つ前記底面を転動するパチンコ玉を前記玉送出部へ排出するための流出口と、を少なくとも備え、前記底面は、上流側から下流側に設けられた前記流出口に向けて螺旋形状に下り傾斜していることを特徴とする。このように構成することにより、玉送出部の入口付近にパチンコ玉が集中することによる玉詰まりを回避するための最低必要な転動距離を得ることができると同時に、玉受け部自体の大きさも従来技術に比べ、小さくコンパクトにすることが可能になる。
【００１４】
即ち、たとえ、パチンコ玉回収装置の玉受け部自体を小さく設計したとしても、玉受け部から玉送出部内へスムーズにパチンコ玉を誘導することができるようになる。
【００１５】
また、請求項３に係る発明においては、前記パチンコ玉回収装置は、該パチンコ玉回収装置を前記パチンコ島台に取り付けるための取付手段と、該パチンコ玉回収装置を前記パチンコ島台に取り付けた状態でも前記玉受け部を所要の位置に移動可能な移動手段と、を備えたことを特徴とする。このように構成することにより、取付手段によりパチンコ玉回収装置をパチンコ島台に取り付けた状態でも、パチンコ玉排出口から排出されるパチンコ玉を受け入れる玉受け部を所要の位置に移動させることができる。
【００１６】
つまり、パチンコ玉回収装置全体を移動させる必要がなくなるため、例えば、パチンコ遊技機の入れ替え時におけるパチンコ玉回収装置、即ち、玉受け部の位置合わせの作業が簡単になる。
【００１７】
また、請求項４に係る発明においては、前記玉受け部と前記玉送出部とが一体的に形成されていることを特徴とする。このように構成することにより、即ち、パチンコ島台に設置されたパチンコ遊技機から排出されたパチンコ玉を受け入れる玉受け部と、玉受け部で受け入れたパチンコ玉をパチンコ島台内の所定の回収通路に送り出す玉送出部を一体的に形成することにより、パチンコ玉回収装置を構成する部品点数を削減できるため、パチンコ玉回収装置を製造、組立を行う上で、作業工程の削減になり、製造コストの削減に繋がる。
【００１８】
また、玉受け部と玉送出部を１つの型で製造することが可能になる。このことも、製造コスト削減に繋がる要因の１つである。
【００１９】
また、請求項５に係る発明においては、前記玉送出部は、下流側に向けてパチンコ玉を一列に整列させる玉送出樋として構成され、該玉送出樋内の上流側の両側面は、互いに非対称な形状で形成されていることを特徴とする。このように構成することにより、玉送出樋の上流側を流れるパチンコ玉の流れに変化を持たせることができるため、パチンコ玉が合流し易くなり、玉送出樋の上流側におけるパチンコ玉の詰まりを防止することができる。
【００２０】
また、請求項６に係る発明においては、前記玉受け部に、前記パチンコ遊技機から排出されたパチンコ玉を受け入れる開口面の少なくとも一部を塞ぐための蓋を設けたことを特徴とする。このように構成することにより、玉受け部内に埃、又は、塵が落ちることを防止することができるため、玉受け部内のパチンコ玉の転動を常に円滑に保つことができる。
【００２１】
更に、請求項７に係る発明においては、前記玉受け部内の底面に、パチンコ玉の跳ね返りを防止するための低反発性のシートを貼付したことを特徴とする。このように構成することにより、パチンコ排出口から排出されたパチンコ玉が玉受け部内の底面に跳ね返って、玉受け部から飛び出すことを防止することができる。
【００２２】
【発明の実施の形態】
以下、図面を参照して本発明の実施形態について説明する。図１は、パチンコ玉回収装置３が設置されたパチンコ遊技機２の背面の斜視図であり、図２は、パチンコ玉回収装置３全体の斜視図であり、図３は、回収部４及び蓋１２を外した状態のパチンコ玉回収装置３の斜視図であり、図４は、支持部５の分解斜視図であり、図５は、パチンコ玉回収装置３の平面図である。
【００２３】
パチンコ島台１は、周知のように、直方体状に枠組み構成され、その長手方向両面に複数のパチンコ遊技機２を背向列設するようになっているものであるが、図１においては、その一部のみを図示している。図１に示すように、パチンコ島台１に設置されたパチンコ遊技機２の背面側下方の位置には、パチンコ遊技機２で使用されてパチンコ玉排出口６から排出されたパチンコ玉を受け入れ、この受け入れたパチンコ玉をパチンコ島台１内の所定の回収通路（図示しない）に送るためのパチンコ玉回収装置３が設置されている。このパチンコ玉回収装置３は、後述する取付手段としての取付部３０によってパチンコ島台１に取り付けられている。
【００２４】
次に、本発明の要部を構成するパチンコ玉回収装置３について、図２乃至図５を参照して説明する。図２において、パチンコ玉回収装置３は、パチンコ遊技機２から排出されたパチンコ玉を受け入れて回収通路に送るための回収部４と、パチンコ玉回収装置３をパチンコ島台１に対して取り付けると共に回収部４を移動可能に支持するための支持部５と、により構成されている。
【００２５】
パチンコ玉回収装置３を構成する回収部４は、図３に示すように、パチンコ遊技機２から排出されたパチンコ玉を受け入れる玉受け部１０と、玉受け部１０で受け入れたパチンコ玉を回収通路に送る玉送出部としての玉送出樋１１と、玉受け部１０の開口面１９の一部を塞ぐための蓋１２と、から構成されている。
【００２６】
玉受け部１０は、図３に示すように、その中心に、後述する挿入突起４６が挿入される挿入穴１６を有する挿入筒部１５が位置している。この挿入筒部１５の外周には、玉受け部１０の底部を構成する右底面１４ａ（図３中、右側）及び左底面１４ｂ（図３中、左側）が位置している。この右底面１４ａ及び左底面１４ｂは、平面視でそれぞれほぼ半円形状をなすと共に、互いに対称形状に形成されている（図５参照）。また、右底面１４ａ及び左底面１４ｂは、後述する流出口２０に向けて下り傾斜する螺旋形状に形成されており、その傾斜の上流端２８は、流出口２０と対面側の上部にある右底面１４ａと左底面１４ｂとの境界（図２及び図５において、挿入筒部１５の左側に実線で図示）であり、傾斜の下流端２９は、流出口２０側にある右底面１４ａと左底面１４ｂとの境界（図２及び図５において、挿入筒部１５の右側に破線で図示）である。また、右底面１４ａ及び左底面１４ｂの表面には、パチンコ玉の跳ね返りを防止するためのウレタン，ゴム等により形成される低反発性のシートが貼付されている。
【００２７】
上記のように、玉受け部１０の右底面１４ａ及び左底面１４ｂは、上流端２８から下流端２９に向けて下り傾斜する螺旋形状に形成されているが、この右底面１４ａあるいは左底面１４ｂ上を流下するパチンコ玉の軌跡を、図５において、長さｈの曲線（矢印）で表している。この軌跡は、上流端２８のほぼ中央から流出口２０のほぼ中央に向かって流れるパチンコ玉の軌跡である。この場合において、右底面１４ａ及び左底面１４ｂの傾斜角度をθとし、従来技術のように、玉送出樋１１まで誘導する軌跡をｈ寸法の直線で設計した場合、玉受け部１０は、ｈｃｏｓθ（＝ｍ＋ｎ）の幅が必要となる。しかし、本実施形態におけるパチンコ玉回収装置３では、図５に示すように、ｈ寸法を略円弧、即ち、曲線になるように玉受け部１０内を設計しているため、玉受け部１０の幅は、ｍとなり、従来技術に比べ、ｎ寸法分小さく設計することが可能になる。尚、上述してきた長さｈとは、玉送出樋１１の上流側で玉詰まりが起こらない最低限度必要な距離のことである。
【００２８】
この右底面１４ａ及び左底面１４ｂの外周には、図３に示すように、玉受け部１０の外周を形成する円筒形状の外周板１３が立設しており、その上部が開放されて開口面１９として形成されている。この外周板１３の内側面，右底面１４ａ及び左底面１４ｂの上面及び挿入筒部１５の外周面によって、パチンコ玉を受け入れるための玉受け空間１７が形成されている。また、外周板１３の下部であって、右底面１４ａ及び左底面１４ｂの下流端２９が臨む位置には、玉受け部１０内のパチンコ玉を玉送出樋１１へ流出させるための流出口２０が形成されている。
【００２９】
また、玉送出樋１１は、その縦断面形状がほぼコ字状に形成され、その両側方は、それぞれ右側板２１ａ（図３中、右側）及び左側板２１ｂ（図３中、左側）として形成されている。また、平面視では、図５に示すように、先端部付近（下流側）の幅寸法は、パチンコ玉が１個通過できる程度に形成され、玉受け部１０に向かうに従って徐々にその幅が広がるように形成されている。この玉送出樋１１の先端部付近の部分は、パチンコ玉を一列に整列する玉整列部２４として、玉受け部１０側の部分、即ち、上流側は、パチンコ玉を合流させる玉合流部２３として形成されている。また、左側板２１ｂの玉合流部２３側の面には、図３及び図５に示すように、左側板２１ｂ側を流れるパチンコ玉の流路を変化させる凸部２２が突設されているため、玉受け部１０の両側面は、玉送出樋１１の中心線を挟んで互いに非対称な形状で形成されている。
【００３０】
また、玉送出樋１１の先端部側の下方には、玉送出樋１１から排出されるパチンコ玉を検知して通過玉数を計数する玉計数器２６が取り付けられており、この玉計数器２６のパチンコ玉が通過する部分が玉落下部２５（図２参照）として形成されている。なお、玉計数器２６には、パチンコ玉の検知信号を外部に出力するためのコネクタ２７が接続されている。
【００３１】
また、蓋１２は、ほぼ扇型状に形成される平板状のものであり、その扇の要の部分には、蓋１２を後述する挿入突起４６に取り付けるための蓋取付ネジ１８が取り付けられている。
【００３２】
パチンコ玉回収装置３を構成する支持部５は、図４に示すように、パチンコ回収装置３をパチンコ島台１に取り付けるための取付部３０と、取付部３０上を摺動して回収部４をパチンコ遊技機２の左右方向に移動させる左右スライド部３１と、左右スライド部３１上を摺動して回収部４をパチンコ遊技機２の前後方向に移動させる前後スライド部３２と、から構成されている。なお、左右スライド部３１及び前後スライド部３２によって移動手段が構成されるものである。
【００３３】
取付部３０は、ほぼ直方体形状に形成されるものであり、その両端部近傍には、取付部３０をパチンコ島台１に取り付けるための取付ネジ３４が挿通される取付穴３３が穿設されている。また、長辺側の両側面下部には、後述する左右スライド板３６の係合突起３７が係合する係合溝３５が形成されている。
【００３４】
左右スライド部３１は、縦断面形状がほぼコ字状に形成される左右スライド板３６の上面両側方に、それぞれスペーサ３８，ガイド板３９をこの順に重ね合わせて取り付けることにより形成されている。左右スライド板３６の両下端部には、内側に向けて係合突起３７が突設されている。また、ガイド板３９は、両ガイド板３９が向かい合う面が傾斜してガイド面４０として形成されており、この両ガイド板３９の間に後述する前後スライド板４１が挿入される。このガイド面４０は、両ガイド面４０間の下部の間隔が上部の間隔よりも広くなるように傾斜している。
【００３５】
前後スライド部３２は、長方形状の前後スライド板４１の上面側ほぼ中央に挿入突起４６が突設され、下面側の長手方向両側方にそれぞれストッパ４３が取り付けられることにより形成されている。前後スライド板４１には、その長辺側の上面両隅角部にスライド面４２が形成されているが、このスライド面４２は、前述したガイド板３９のガイド面４０とほぼ同じ傾斜角度で形成されている。また、挿入突起４６は、前述した挿入筒部１５の挿入穴１６に挿入されるものであり、その先端部の中心には、前述した蓋１２を取り付けるための取付ネジ穴４７が穿設されている。また、２つのストッパ４３のうち一方（図４中、左側）は、ほぼ正方形状に形成されて、その中心には、ストッパ４３を前後スライド板４１に取り付けるための取付ネジ４５が挿通される取付穴４４が穿設され、前後スライド板４１に対して着脱自在に取り付けられる。これに対し、他方のストッパ４３（図４中、右側）は、同様にほぼ正方形状に形成されるものであるが、前後スライド板４１に固定されている。
【００３６】
次に、上記した部材により、パチンコ玉回収装置３を組み立てる方法について説明するが、まず、支持部５の組み立てについて説明する。
【００３７】
支持部５を組み立てるには、まず、左右スライド板３６の係合突起３７を取付部３０の係合溝３５に係合させながら左右スライド部３１を取付部３０の側方から挿入する。これにより、左右スライド部３１が取付部３０に取り付けられる。取付部３０に左右スライド部３１を取り付けた後、左右スライド部３１の両ガイド板３９の間に前後スライド板４１を挿入する。このとき、左右スライド板３６のスライド面４２とガイド板３９のガイド面４０が係合するため、前後スライド板４１は、上方に外れることがない。前後スライド板４１をガイド板３９の間に挿入した後、ストッパ４３の取付穴４４に挿通した取付ネジ４５を、前後スライド板４１の裏面に穿設した取付ネジ穴（図示しない）に螺着することにより、ストッパ４３を前後スライド板４１に取り付ける。このように、前後スライド板４１にストッパ４３を取り付けることにより、前後スライド板４１を前後にスライドさせた際、ストッパ４３が左右スライド板３６の側面に当接するため、前後スライド板４１が左右スライド部３１から外れることがない。
【００３８】
上記のようにして組み立てられた支持部５の挿入突起４６を、図３に示すように、回収部４の挿入筒部１５に形成された挿入穴１６に挿入することにより、回収部４を支持部５に取り付ける。そして、蓋１２の蓋取付ネジ１８を挿入突起４６の取付ネジ穴４７に螺着することにより、蓋１２を取り付ける。なお、蓋１２は、開口面１９上で任意の位置に取り付けることができる。
【００３９】
上記のようにして組み立てられたパチンコ玉回収装置３の取付部３０の取付穴３３に挿通した取付ネジ３４を、パチンコ島台１に穿設された取付ネジ穴（図示しない）に螺着することにより、パチンコ玉回収装置３をパチンコ島台１に取り付ける。そして、回収部４の右底面１４ａ及び左底面１４ｂの上流端２８がパチンコ玉排出口６の下方に位置するように、支持部５によって回収部４の位置を調整する。
【００４０】
次に、上記のようにして組み立てられ、パチンコ島台１に取り付けられたパチンコ玉回収装置３の作用について説明する。パチンコ遊技機２のパチンコ玉排出口６から排出されたパチンコ玉は、パチンコ玉回収装置３の上流端２８上に落下した後、図５の矢印に示すように、右底面１４ａあるいは左底面１４ｂ上を流出口２０まで転動し、流出口２０から玉送出樋１１の玉合流部２３に排出される。玉合流部２３に排出されたパチンコ玉は、玉合流部２３内で玉整列部２４に向けて集められるが、前述したように、左側板２１ｂの玉合流部２３側の面には、凸部２２が突設されているため、左側板２１ｂ側を流れるパチンコ玉の流路が変化して右側板２１ａ側を流れるパチンコ玉と合流し易くなる。このため、玉送出樋１１の上流側、即ち、玉合流部２３におけるパチンコ玉の詰まりを防止することができ、パチンコ玉をスムーズに玉整列部２４に送ることができる。
【００４１】
玉整列部２４に送られたパチンコ玉は、玉整列部２４から玉落下部２５内を落下して回収通路に排出されることとなる。なお、パチンコ玉が玉落下部２５を落下する際には、玉計数器２６を通過し落下するパチンコ玉数（アウト玉数）が計数される。
【００４２】
尚、本発明のパチンコ玉回収装置３には、次に示すような技術思想も含まれている。従来までのパチンコ玉回収装置には、本実施形態に示すような玉受け部１０の開口面１９の少なくとも一部を塞ぐための蓋１２が設けられていなかった。その結果、パチンコ遊技機の開閉に伴う賞球タンクからのこぼれ玉がパチンコ玉回収装置の玉受け部に飛び込む可能性があった。これは、いわゆる「誤差玉」に繋がっていた。即ち、（総セーフ玉数＋総貸玉数）−（総アウト玉数＋全遊技者が獲得した賞品玉）が０にならないことがあった。そこで、本実施形態に示すような玉受け部１０の開口面１９の少なくとも一部を塞ぐ蓋１２を設けることにより、パチンコ遊技機２の開閉に伴う賞球タンクからのこぼれ玉がパチンコ玉回収装置３の玉受け部１０内に飛び込むことを防止し、これに伴い、「誤差玉」という問題も解消するという優れた効果を奏する。
【００４３】
また、上記した実施形態においては、玉送出樋１１内の上流側の両側面を非対称にすることにより、玉送出樋１１の上流側におけるパチンコ玉の詰まりを防止するものを示したが、このようなものに限らず、例えば、玉送出樋１１の上流側の底面を段差状にすることにより、パチンコ玉の流れに変化を持たせて合流させ易くし、玉送出樋１１の上流側におけるパチンコ玉の詰まりを防止するもの等であってもよい。
【００４４】
以上、実施形態について詳細に説明してきたが、本実施形態においては、少なくとも、パチンコ島台１に設置されたパチンコ遊技機２から排出されたパチンコ玉を受け入れる玉受け部１０と、該玉受け部１０で受け入れたパチンコ玉を前記パチンコ島台１内の所定の回収通路に送り出す玉送出部としての玉送出樋１１と、からなるパチンコ玉回収装置３において、前記玉受け部１０で受け入れられたパチンコ玉は、前記玉受け部１０内の右底面１４ａあるいは左底面１４ｂを略円弧を描きながら転動して前記玉送出部としての玉送出樋１１に移送されることにより、パチンコ玉回収装置３の玉受け部１０で受け入れたパチンコ玉は、玉受け部１０内の底面を略円弧を描きながら転動し、スムーズに玉送出部としての玉送出樋１１に至る。そして、玉送出部としての玉送出樋１１からパチンコ島台１内の所定の回収通路に送り出される。
【００４５】
つまり、玉受け部１０内で受け入れたパチンコ玉を、玉受け部１０内の右底面１４ａあるいは左底面１４ｂ上で略円弧を描きながら転動させることができるように玉受け部１０内を設計することで、玉送出部としての玉送出樋１１の入口付近にパチンコ玉が集中することによる玉詰まりを回避するための最低必要な転動距離を得ることができると同時に、玉受け部１０自体の大きさも従来技術に比べ、小さくコンパクトにすることが可能になる。
【００４６】
即ち、たとえ、パチンコ玉回収装置３の玉受け部１０自体を小さく設計したとしても、玉受け部１０から玉送出部としての玉送出樋１１内へスムーズにパチンコ玉を誘導することができるようになる。
【００４７】
また、本実施形態においては、前記玉受け部１０は、該玉受け部１０の外周を形成する円筒形状の外周板１３と、該外周板１３の下部に形成され且つ前記右底面１４ａあるいは左底面１４ｂを転動するパチンコ玉を前記玉送出部としての玉送出樋１１へ排出するための流出口２０と、を少なくとも備え、前記右底面１４ａ及び左底面１４ｂは、上流側から下流側に設けられた前記流出口２０に向けて螺旋形状に下り傾斜していることにより、玉送出部としての玉送出樋１１の入口付近にパチンコ玉が集中することによる玉詰まりを回避するための最低必要な転動距離を得ることができると同時に、玉受け部１０自体の大きさも従来技術に比べ、小さくコンパクトにすることが可能になる。
【００４８】
即ち、たとえ、パチンコ玉回収装置３の玉受け部１０自体を小さく設計したとしても、玉受け部１０から玉送出部としての玉送出樋１１内へスムーズにパチンコ玉を誘導することができるようになる。
【００４９】
また、本実施形態においては、前記パチンコ玉回収装置３は、該パチンコ玉回収装置３を前記パチンコ島台１に取り付けるための取付手段としての取付部３０と、該パチンコ玉回収装置３を前記パチンコ島台１に取り付けた状態でも前記玉受け部１０を所要の位置に移動可能な移動手段としての左右スライド部３１及び前後スライド部３２と、を備えたことにより、取付手段としての取付部３０によりパチンコ玉回収装置３をパチンコ島台１に取り付けた状態でも、パチンコ玉排出口６から排出されるパチンコ玉を受け入れる玉受け部１０を所要の位置に移動させることができる。
【００５０】
つまり、パチンコ玉回収装置３全体を移動させる必要がなくなるため、例えば、パチンコ遊技機２の入れ替え時におけるパチンコ玉回収装置３、即ち、玉受け部１０の位置合わせの作業が簡単になる。
【００５１】
また、本実施形態においては、前記玉受け部１０と前記玉送出部としての玉送出樋１１とが一体的に形成されていることにより、即ち、パチンコ島台１に設置されたパチンコ遊技機２から排出されたパチンコ玉を受け入れる玉受け部１０と、玉受け部１０で受け入れたパチンコ玉をパチンコ島台１内の所定の回収通路に送り出す玉送出部としての玉送出樋１１を一体的に形成することにより、パチンコ玉回収装置３を構成する部品点数を削減できるため、パチンコ玉回収装置３を製造、組立を行う上で、作業工程の削減になり、製造コストの削減に繋がる。
【００５２】
また、玉受け部１０と玉送出部としての玉送出樋１１を１つの型で製造することが可能になる。このことも、製造コスト削減に繋がる要因の１つである。
【００５３】
また、本実施形態においては、前記玉送出部は、下流側に向けてパチンコ玉を一列に整列させる玉送出樋１１として構成され、該玉送出樋１１内の上流側の両側面は、互いに非対称な形状で形成されていることにより、玉送出樋１１の上流側を流れるパチンコ玉の流れに変化を持たせることができるため、パチンコ玉が合流し易くなり、玉送出樋１１の上流側におけるパチンコ玉の詰まりを防止することができる。
【００５４】
また、本実施形態においては、前記玉受け部１０に、前記パチンコ遊技機２から排出されたパチンコ玉を受け入れる開口面の少なくとも一部を塞ぐための蓋１２を設けたことにより、玉受け部１０内に埃、又は、塵が落ちることを防止することができるため、玉受け部１０内のパチンコ玉の転動を常に円滑に保つことができる。
【００５５】
更に、本実施形態においては、前記玉受け部１０内の右底面１４ａあるいは左底面１４ｂに、パチンコ玉の跳ね返りを防止するための低反発性のシートを貼付したことにより、パチンコ排出口から排出されたパチンコ玉が玉受け部１０内の底面に跳ね返って、玉受け部１０から飛び出すことを防止することができる。
【００５６】
【発明の効果】
以上、説明したところから明らかなように、請求項１に係る発明においては、玉送出部の入口付近にパチンコ玉が集中することによる玉詰まりを回避するための最低必要な転動距離を得ることができると同時に、玉受け部自体の大きさも従来技術に比べ、小さくコンパクトにすることが可能になる。
【００５７】
即ち、たとえ、パチンコ玉回収装置の玉受け部自体を小さく設計したとしても、玉受け部から玉送出部内へスムーズにパチンコ玉を誘導することができるようになる。
【００５８】
また、請求項２に係る発明においては、玉送出部の入口付近にパチンコ玉が集中することによる玉詰まりを回避するための最低必要な転動距離を得ることができると同時に、玉受け部自体の大きさも従来技術に比べ、小さくコンパクトにすることが可能になる。
【００５９】
即ち、たとえ、パチンコ玉回収装置の玉受け部自体を小さく設計したとしても、玉受け部から玉送出部内へスムーズにパチンコ玉を誘導することができるようになる。
【００６０】
また、請求項３に係る発明においては、取付手段によりパチンコ玉回収装置をパチンコ島台に取り付けた状態でも、パチンコ玉排出口から排出されるパチンコ玉を受け入れる玉受け部を所要の位置に移動させることができる。
【００６１】
つまり、パチンコ玉回収装置全体を移動させる必要がなくなるため、例えば、パチンコ遊技機の入れ替え時におけるパチンコ玉回収装置、即ち、玉受け部の位置合わせの作業が簡単になる。
【００６２】
また、請求項４に係る発明においては、パチンコ玉回収装置を構成する部品点数を削減できるため、パチンコ玉回収装置を製造、組立を行う上で、作業工程の削減になり、製造コストの削減に繋がる。
【００６３】
また、玉受け部と玉送出部を１つの型で製造することが可能になる。このことも、製造コスト削減に繋がる要因の１つである。
【００６４】
また、請求項５に係る発明においては、玉送出樋の上流側を流れるパチンコ玉の流れに変化を持たせることができるため、パチンコ玉が合流し易くなり、玉送出樋の上流側におけるパチンコ玉の詰まりを防止することができる。
【００６５】
また、請求項６に係る発明においては、玉受け部内に埃、又は、塵が落ちることを防止することができるため、玉受け部内のパチンコ玉の転動を常に円滑に保つことができる。
【００６６】
更に、請求項７に係る発明においては、パチンコ排出口から排出されたパチンコ玉が玉受け部内の底面に跳ね返って、玉受け部から飛び出すことを防止することができる。
【図面の簡単な説明】
【図１】パチンコ玉回収装置が設置されたパチンコ遊技機の背面の斜視図である。
【図２】パチンコ玉回収装置全体の斜視図である。
【図３】回収部及び蓋を外した状態のパチンコ玉回収装置の斜視図である。
【図４】支持部の分解斜視図である。
【図５】パチンコ玉回収装置の平面図である。
【図６】従来のパチンコ玉回収装置の斜視図及び平面図である。
【符号の説明】
１  パチンコ島台
２  パチンコ遊技機
３  パチンコ玉回収装置
４  回収部
５  支持部
１０  玉受け部
１１  玉送出樋（玉送出部）
１２  蓋
１４ａ  右底面
１４ｂ  左底面
２０  流出口
３０  取付部（取付手段）
３１  左右スライド部（移動手段）
３２  前後スライド部（移動手段）
【図１】
0004140234.tif 000002
【図２】
0004140234.tif 000003
【図３】
0004140234.tif 000004
【図４】
0004140234.tif 000005
【図５】
0004140234.tif 000006
【図６】
0004140234.tif 000007